(57)【要約】【課題】密閉型の筐体を有する小型の電子機器に適用した場合であっても、良好な音響性能を実現することができる音響装置、及び、当該音響装置を備えた電子機器を提供する。【解決手段】機器本体１０１は、ケース１１とガラス板１２と閉止蓋１３とにより密閉型の筐体を構成し、機器本体１０１の内部に音響素子２０が配置されている。音響素子２０は、円柱状の超磁歪素子２１と、当該超磁歪素子２１の外周に導線を巻き付けたコイル２２と、を有し、対向するガラス板１２と閉止蓋１３との間に超磁歪素子２１が挟み込まれて突っ張るように組み付けられている。【選択図】図１
2014131118.tif 000002
【特許請求の範囲】
【請求項１】
内部に密閉された空間を有する筐体と、
磁界に応じて変形する超磁歪素子と、当該磁歪素子の周囲に形成されて磁界を生成するコイルと、を有し、前記筐体の内部に配置された音響素子と、
を備え、
前記音響素子は、前記超磁歪素子の磁界に応じた変形による伸縮が生じる方向の両端部が前記密閉された空間をなす前記筐体の内面に密着して配置され、前記超磁歪素子の前記伸縮の大きさを音声信号に応じて変化させることにより、前記筐体を振動させて音を出力することを特徴とする音響装置。
【請求項２】
前記音響素子の前記超磁歪素子は、棒状の形状を有し、該棒状の形状の長さ方向に沿って前記伸縮が生じ、該長さ方向の両端が前記筐体の前記密閉された空間内の対向する部材間に挟み込まれ、該長さ方向に沿って圧縮応力がかかるように組み付けられていることを特徴とする請求項１に記載の音響装置。
【請求項３】
前記超磁歪素子は、前記超磁歪素子が挟み込まれる前記筐体の対向する前記部材間に傾斜して組み付けられていることを特徴とする請求項２に記載の音響装置。
【請求項４】
前記音響素子は、前記超磁歪素子の両端部がそれぞれ、極性を一致させた磁性体を介して、前記筐体の対向する前記部材に密着するように組み付けられていることを特徴とする請求項２又は３に記載の音響装置。
【請求項５】
前記音響素子は、前記音声信号に応じて前記超磁歪素子の前記伸縮の大きさが変化することにより、前記筐体の対向する前記部材を同位相で振動させて、前記音を出力することを特徴とする請求項２乃至４のいずれかに記載の音響装置。
【請求項６】
前記音響素子は、前記コイルに特定の共振特性を付与する共振回路が接続され、
前記共振回路による前記共振特性と、前記筐体の周波数特性とを合成することにより、前記音の周波数特性を設定することを特徴とする請求項１乃至５のいずれかに記載の音響装置。
【請求項７】
前記音響素子は、前記コイルの途中に前記音声信号を印加する信号印加部が接続されていることを特徴とする請求項６に記載の音響装置。
【請求項８】
請求項１乃至７のいずれかに記載の音響装置が実装されてなることを特徴とする電子機器。
【発明の詳細な説明】
【技術分野】
【０００１】
本発明は、音響装置及び電子機器に関し、特に、密閉型の筐体に適用して良好な音響装置、及び、当該音響装置を備えた電子機器に関する。
【背景技術】
【０００２】
従来、電子機器において、音声やブザー音を出力する音響装置又は音響部品として、スピーカが搭載されることが一般的である。一方、近年急速に普及しているモバイル機器や、腕時計等の小型の電子機器においては、機器内部のスペースに制約があるため、音響性能に優れた大型のスピーカを搭載することができない。そこで、小型の電子機器、例えば腕時計や腕時計型の電子機器においては、例えば特許文献１に記載されているように、腕時計ケースを閉止するための裏蓋の内面側に圧電ブザーを設け、電子音（アラーム音）を発生させる構成が採用されていた。
【先行技術文献】
【特許文献】
【０００３】
【特許文献１】特開２０００−０５６０４５号公報
【発明の概要】
【発明が解決しようとする課題】
【０００４】
上述したような小型の電子機器において、防水性や衝撃耐久性を向上させるために、密閉型の筐体を適用した場合には、スピーカやブザーを筐体内部に設置すると、音声やブザー音による空気の振動が筐体外部に伝搬しにくいため、音響性能が著しく低下して、情報伝達や注意喚起といった音響装置の本来の目的を果たすことができない場合があるという問題を有していた。
【０００５】
そこで、本発明は、上述した問題点に鑑み、密閉型の筐体を有する小型の電子機器に適用した場合であっても、良好な音響性能を実現することができる音響装置、及び、当該音響装置を備えた電子機器を提供することを目的とする。
【課題を解決するための手段】
【０００６】
本発明に係る音響装置は、
内部に密閉された空間を有する筐体と、
磁界に応じて変形する超磁歪素子と、当該磁歪素子の周囲に形成されて磁界を生成するコイルと、を有し、前記筐体の内部に配置された音響素子と、
を備え、
前記音響素子は、前記超磁歪素子の磁界に応じた変形による伸縮が生じる方向の両端部が前記密閉された空間をなす前記筐体の内面に密着して配置され、前記超磁歪素子の前記伸縮の大きさを音声信号に応じて変化させることにより、前記筐体を振動させて音を出力することを特徴とする。
【０００７】
本発明に係る電子機器は、
上記の特徴を有する音響装置が実装されてなることを特徴とする。
【発明の効果】
【０００８】
本発明によれば、密閉型の筐体を有する小型の電子機器に適用した場合であっても、良好な音響性能を実現して、情報伝達や注意喚起といった音響装置の本来の目的を果たすことができる。
【図面の簡単な説明】
【０００９】
【図１】本発明に係る音響装置を適用した電子機器の一構成例を示す概略図である。
【図２】一構成例に係る音響装置に適用される超磁歪素子の特性を説明するための概略図である。
【図３】一構成例に係る音響装置による作用効果を説明するための概略図である。
【図４】本発明に係る音響装置を適用した電子機器の他の構成例を示す概略図である。
【図５】本発明に係る音響装置の周波数特性を説明するための特性図である。
【図６】本発明に係る音響装置の周波数特性を改善するための一例を示す回路構成図である。
【発明を実施するための形態】
【００１０】
以下、本発明に係る音響装置及び電子機器について、実施形態を示して詳しく説明する。
（電子機器）
図１は、本発明に係る音響装置を適用した電子機器の一構成例を示す概略図である。ここで、図１（ａ）は、一構成例に係る電子機器の外観形状を示す斜視図であり、図１（ｂ）は、その概略側面図であり、図１（ｃ）は、当該電子機器の断面の要部拡大図である。
【００１１】
本発明に係る音響装置が適用される電子機器１００は、例えば図１（ａ）、（ｂ）に示すように、ユーザが手首に装着して使用する腕時計や、腕時計型の情報端末と同等の外観形状を有している。電子機器１００は、大別して、本発明に係る音響装置が組み込まれた密閉型の筐体を有する機器本体１０１と、機器本体１０１を手首に装着するためのベルト部１０２と、を有している。
【００１２】
機器本体１０１は、例えば図１（ｃ）に示すように、概略、例えば円筒形状を有するケース１１と、ケース１１の一面側（図面上面側）の開口部に設けられたガラス板１２と、ケース１１の他面側（図面下面側）の開口部に設けられた、例えば金属材料による閉止蓋１３と、を有している。ここで、ガラス板１２と閉止蓋１３は、それぞれケース１１に密着して各開口部を閉止するように組み付けられている。すなわち、機器本体１０１は、ケース１１とガラス板１２と閉止蓋１３とにより密閉型の筐体を構成している。
【００１３】
機器本体１０１の内部には、図１（ｃ）に示すように、ケース１１内部の密閉された空間内に、本発明に係る音響素子（音響装置）２０が配置されている。音響素子２０は、円柱状あるいは角柱状等の棒状の形状を有する超磁歪素子２１と、当該超磁歪素子２１の外周に導線を巻回して形成されて磁界を生成するコイル２２と、を有し、超磁歪素子２１の長さ方向（図面上下方向）の両端部の一端と他端とが、それぞれ機器本体１０１のガラス板１２及び閉止蓋１３の内面側に直接に密着するように組み付けられている。具体的には、超磁歪素子２１の長さ方向の両端面間の寸法が、機器本体１０１のガラス板１２と閉止蓋１３との離間寸法よりも僅かに長くなるように設定されており、音響素子２０は、対向するガラス板１２と閉止蓋１３との間に超磁歪素子２１が挟み込まれて突っ張るように組み付けられている。換言すると、音響素子２０は、ガラス板１２と閉止蓋１３とにより、超磁歪素子２１の両端面が長さ方向に沿って圧縮される方向（超磁歪素子２１の内部方向）に押圧された状態で固定されている。これにより、超磁歪素子２１の両端面と、ガラス板１２及び閉止蓋１３とは、密着した状態が保持される。
【００１４】
なお、本構成例においては、腕時計型の情報端末を、電子機器１００の一例として示したため、機器本体１０１が、円筒形状を有するケース１１の両端の開口部をガラス板１２と閉止蓋１３とにより閉止した密閉型の筐体を有する場合について説明したが、本発明はこれに限定されるものではない。すなわち、図１（ｃ）に示した上面、下面及び側面の全てが単一の部材により形成された筐体を有するものであってもよいし、側面と上面又は下面のいずれか一方が単一の部材により形成され、開口部となる他の一面を別の部材により閉止した筐体を有するものであってもよい。また、筐体を形成する部材についても、本構成例では腕時計型の情報端末を例としたため、上面側をガラス板１２とし、下面側を金属材料による閉止蓋１３としたが、これに限定されるものではなく、金属やガラス、樹脂等、一般的な電子機器（例えば腕時計やモバイル機器等）に適用される材質を任意に適用することができる。
【００１５】
（音響素子の特徴）
次に、上述した電子機器に適用される音響素子（音響装置）の特徴について説明する。
図２は、本構成例に係る音響装置に適用される超磁歪素子の特性を説明するための概略図である。ここで、上述した図１と同等の構成については、同一の符号を付して説明する。
【００１６】
上述した音響素子２０に適用される超磁歪素子２１は、強磁性体からなる。強磁性体は、磁界（磁場）を加えると磁化して、外形が僅かに変形する磁気ひずみ（又は、磁気ジュール効果）を生じ、この変形の量が磁界の大きさ応じて変化することが知られている。すなわち、図２に示すように、円柱状等の棒状の超磁歪素子２１を、コイル２２に電流Ｉを流すことにより形成される磁界Ｈの中に置くと、磁界Ｈの大きさに応じて超磁歪素子２１がその長さ方向（磁界方向）に伸縮する特性を示す。図２において、Ｌecは、超磁歪素子２１に磁界を加えた状態と無磁界の状態における伸縮量（長さの差）を示す。超磁歪素子２１の場合、この伸縮量は、１００Ｏｅ（エルステッド）の磁界を印加した状態で、概ね数百〜数千ｐｐｍの微小な変位をもたらす。そして、この変位の大きさは磁界Ｈの大きさに対応する。したがって、コイル２２に流す電流Ｉを音声信号に応じて変化させてコイル２２により形成される磁界Ｈの大きさを音声信号に応じて変化させることで、超磁歪素子２１の伸縮量を音声信号に応じて変化させることができる。そして、この伸縮量の変化を用いて適当な面積の物質を振動させることによりスピーカ等の音響装置を形成することができる。
【００１７】
本実施形態においては、このような特性を示す超磁歪素子として、超磁歪合金を適用することができる。具体的には、Ｆｅ（鉄）、Ｃｏ（コバルト）を含む次の組成を有する合金を良好に適用することができる。
Ｒ（Ｆｅ1-x-y Ｃｏx Ｍy ）z      ・・・（１）
【００１８】
ここで、Ｒは、Ｙ（イットリウム）を含む希土類元素から選ばれる少なくとも１種の元素であり、Ｍは、Ｎｉ（ニッケル）、Ｍｎ（マンガン）、Ｍｇ（マグネシウム）、Ａｌ（アルミニウム）、Ｇａ（ガリウム）、Ｚｎ（亜鉛）、Ｖ（バナジウム）、Ｚｒ（ジルコニウム）、Ｈｆ（ハフニウム）、Ｔｉ（チタン）、Ｎｂ（ニオブ）、Ｃｕ（銅）、Ａｇ（銀）、Ｓｎ（スズ）、Ｍｏ（モリブデン）、Ｓｉ（ケイ素）及びＢ（ホウ素）から選ばれる少なくとも１種の元素である。また、ｘ、ｙ、ｚは０≦ｘ≦０．９５、０≦ｙ≦０．６、１．５≦ｚ≦４．０の数値範囲に設定される。
【００１９】
上記（１）に示した組成を有する合金の具体例としては、Ｔｂ（テルビウム）−Ｄｙ（ジスプロシウム）・Ｆｅ系合金や、Ｔｂ−Ｄｙ・Ｆｅ−Ｍｎ系合金を良好に適用することができる。
【００２０】
（作用効果の検証）
次に、本実施形態に係る音響装置における作用効果について、比較例を示して詳しく説明する。
【００２１】
図３は、本構成例に係る音響装置による作用効果を説明するための概略図である。図３（ａ）は、比較対象となる構成例を示す図であり、図３（ｂ）は、本実施形態に係る構成を示す図である。ここで、上述した図１と同等の構成については、同一の符号を付して説明する。
【００２２】
まず、比較対象となる音響装置の構成例（以下、「比較例」と記す）について説明する。ここでは、比較例として、図３（ａ）に示すように、任意の筐体の内部に、スピーカ２２０が配置された構成を有しているものとする。このような構成において、スピーカ２２０から任意の音を発生させた場合、スピーカ２２０の振動板が設けられた前面側（図面右方側）の空気が振動して音波が伝搬する。一方、スピーカ２２０の背面側（図面左方側）の空気も振動板の振動に伴って振動する。このとき、スピーカ２２０の前面側と背面側では、空気の振動の位相が反転することになる。そのために、スピーカ２２０の背面側の筐体２１０や他の部品等により、背面側の空気の振動が反射したり回り込んだりして、スピーカ２２０の前面側に伝搬し、スピーカ２２０の前面側の空気の振動と合成されて本来の音の空気振動が相殺してしまい、音響特性を劣化させるという問題を有している。
【００２３】
特に小型の電子機器に適用される筐体においては、音波の波長に比較して、反射や回り込みによる空気振動の位相差が生じにくい（位相差が小さい）ため、音響特性が劣化しやすいという問題を有していた。さらに、密閉型の筐体の場合には、反射や回り込みによる空気振動の減衰も生じにくいため、上記合成による劣化が顕著になるという問題を有していた。
【００２４】
これに対して、上述した本構成例を概念的に説明すると、図３（ｂ）に示すように、密閉型の筐体１１０の内部に、超磁歪素子２１の両端部が筐体１１０の対向する面の部材（上述したガラス板１２と閉止蓋１３に相当する）の内面側に密着するとともに突っ張るように、音響素子２０が組み付けられている。このような構成において、音響素子２０のコイル２２に音声信号に応じた電流を流すことにより、超磁歪素子２１が伸び縮みし、これに応じてその両端に接触している筐体１１０が振動して、それぞれ筐体１１０の外部の空気を直接振動させて音波を伝搬する。このとき、筐体１１０の図面右方側と左方側の空気の振動の位相は同一になる。
【００２５】
したがって、本構成例によれば、小型の密閉型の筐体に適用した場合であっても、上述した比較例に示したような空気振動の反射や回り込み、空気振動の合成による相殺という現象が生じないので、良好な音響特性を実現することができる。
【００２６】
また、本構成例においては、超磁歪素子２１の両端部が筐体１１０の対向する面の部材（ガラス板１２と閉止蓋１３）により挟み込まれ、かつ、超磁歪素子２１の長さ方向に沿って圧縮応力がかかるように押圧された状態で固定されている。これにより、いわゆるビラリ効果（逆磁歪）により超磁歪素子２１の磁化が揃って磁界が発生しやすい状態に保持されているので、超磁歪素子２１が押圧されていない状態に比較して、コイル２２に音声信号に応じた電流を流した際に、磁界を効率的かつ応答性良く発生させて音響特性をさらに向上させることができる。
【００２７】
（変形例）
次に、本発明に係る音響装置及び電子機器の他の構成例（変形例）について説明する。
図４は、本発明に係る音響装置を適用した電子機器の他の構成例を示す概略図である。ここで、上述した図１と同等の構成については、同一の符号を付して説明する。
【００２８】
上述した構成例においては、音響素子２０が機器本体１０１の一面側に設けられたガラス板１２と、他面側に設けられた閉止蓋１３との間に挟み込まれて突っ張るように組み付けられた構成（図１（ｃ）参照）について説明した。本発明はこれに限定されるものではなく、次の変形例に示すように、機器本体１０１のケース１１と閉止蓋１３との間に組み付けられた構成を有するものであってもよい。
【００２９】
本発明に係る電子機器１００の第１の変形例は、例えば図４（ａ）に示すように、機器本体１０１のケース１１において、一面側（図面上面側）にケース１１内部に突出して延在する組み付け部材１１ａが設けられ、当該組み付け部材１１ａと閉止蓋１３との間に音響素子２０が挟み込まれて突っ張るように組み付けられている。
【００３０】
このような変形例の構成を、腕時計等に適用する場合には、例えば図４（ｂ）に示すように、時計ケース１１ｗの文字盤１４を支持する支持部材１１ｂと、裏蓋１３ｗとの間に、音響素子２０の超磁歪素子２１が挟み込まれて突っ張るように組み付けられ、裏蓋１３ｗを時計ケース１１ｗの他面側（図面下面側）にネジ１５等で締め付け固定する。
【００３１】
このような変形例によれば、上述した構成例と同様に、音響素子２０（超磁歪素子２１）の一面側のガラス板１２又は文字盤１４と、他面側の閉止蓋１３又は裏蓋１３ｗとを、音声信号に応じて均等に振動させて音を発生させることができる。また、このような変形例の構成によれば、機器本体１０１の一面側（図面上面側）を視野側とした場合に、音響素子２０がケース１１から突出する組み付け部材１１ａ、又は、時計ケース１１ｗから突出する支持部材１１ｂと平面的に重なる位置に配置されているので、ユーザに視認されることがなく、電子機器１００の商品としての見栄えを向上させることができる。
【００３２】
また、本発明に係る電子機器１００の第２の変形例は、例えば図４（ｃ）に示すように、時計ケース１１ｗ内に、音響素子２０が斜めに配置された構成を有している。具体的には、時計ケース１１ｗから突出する支持部材１１ｂの基部に形成される角部又は凹部と、裏蓋１３ｗから時計ケース１１ｗの内部に突出する突部１３ａの基部に形成される角部又は凹部との間に、音響素子２０の超磁歪素子２１が斜めに挟み込まれて突っ張るように組み付けられている。また、裏蓋１３ｗが時計ケース１１ｗの他面側（図面下面側）にネジ１５等で締め付け固定されている。
【００３３】
このような変形例によれば、上述した構成例と同様に、音響素子２０（超磁歪素子２１）の一面側のガラス板１２又は文字盤１４と、他面側の裏蓋１３ｗとを、均等に振動させて音を発生させることができる。また、このような変形例の構成によれば、音響素子２０が時計ケース１１ｗから突出する支持部材１１ｂと平面的に重なる位置に配置されているので、ユーザに視認されることがなく、電子機器１００の商品としての見栄えを向上させることができる。さらに、音響素子２０を斜めに配置することにより、超磁歪素子２１の長さ方向の寸法を実質的に長くして、コイル２２の巻数を多くすることができるので、コイル２２に音声信号に応じた電流を流した際に生じる磁界を強くして音響特性をさらに向上させることができる。
【００３４】
（音響特性の検証）
次に、本発明に係る音響装置の音響特性について説明する。
図５は、本発明に係る音響装置の周波数特性を説明するための特性図であり、図６は、本発明に係る音響装置の周波数特性を改善するための一例を示す回路構成図である。
【００３５】
上述したような磁歪素子は、一般に磁化の応答性が比較的低いため、コイルの巻き数を多くして（例えば数百回以上）強い磁界を形成する必要がある。そのため、磁歪素子とコイルからなる音響素子単体の周波数特性は、図５中、特性線ＳＰ１で示すように、概ね１ｋＨｚを超える辺りから、高帯域になるほど音のレベル（強度）が低下する傾向を示し、高帯域まで安定したレベルが得られないという特徴を有している。
【００３６】
一方、小型の筐体の周波数特性（音響特性）は、図５中、特性線ＳＰ２で示すように、機械的に低周波領域が劣化しており、概ね１ｋＨｚよりも低い帯域では安定したレベルが得られないという特徴を有している。そのため、このような周波数特性を有する小型の筐体に、磁歪素子を適用した音響素子を組み付けた構成においては、所望の音響特性を有する音声を出力することができない場合がある。
【００３７】
このような周波数特性を補正する手法として、例えば図６に示すような共振回路を適用することができる。図６に示す共振回路は、磁歪素子を磁化するための磁界を発生するコイル（インダクタンス）Ｌ１の両端に、抵抗Ｒ１とコンデンサ（静電容量）Ｃ１とを直列に接続した回路構成を有している。このような回路構成を適用することにより、コイルＬ１とコンデンサＣ１とにより図５中、特性線ＳＰ３で示すような共振特性をコイルＬ１に持たせることができ、また、抵抗Ｒ１によりＱ値を制御することができる。すなわち、上述した構成例や変形例に示したような小型の筐体に、磁歪素子を適用した音響素子を組み込んだ電子機器において、図５中、特性線ＳＰ４に示すように、上述した特性線ＳＰ２、ＳＰ３の各周波数特性の合成からなる総合特性を実現することができる。したがって、所望の周波数帯域において音のレベルを高く、かつ、比較的安定させることができるので、共振特性を適宜調整することにより、例えば音声領域の周波数帯域において、良好な音響特性を実現することができる。
【００３８】
また、上述した共振回路において、図６に示すように、コイルＬ１の途中からタップを取り、増幅器ＡＭＰ（信号印加部）を介して音声信号を印加する回路構成を適用するものであってもよい。このような回路構成によれば、必要に応じてインピーダンスを音声信号に凡そ合わせることができるので、効率的に磁界を発生させることができ、良好な音響特性を実現することができる。
【００３９】
なお、上述した各構成例及び変形例においては、筐体の対向する部材間に超磁歪素子の両端部を直接密着させて挟み込むように、音響素子を組み付けた構成を示したが、本発明はこれに限定されるものではない。例えば、超磁歪素子の長さ方向の両端部に極性（磁化の方向）を一致させた磁性体をそれぞれ設け、超磁歪素子の両端部が当該磁性体を介して筐体の対向する部材に密着する構成を有しているものであってもよい。これによれば、両端部に設けられた磁性体により超磁歪素子に磁界が発生しやすい状態に保持することができるので、コイルに電流を流した際に、磁界を効率的かつ応答性良く発生させて音響特性をさらに向上させることができる。
【００４０】
また、上述した各構成例及び変形例においては、電子機器として、腕時計又は腕時計型の情報端末を示したが、本発明はこれに限定されるものではない。例えば、携帯電話機やスマートフォン、メディアプレーヤ、胸部装着型の心拍計、デジタルカメラ等の小型で密閉型の筐体を有する電子機器であれば良好に適用することができる。
【００４１】
以上、本発明のいくつかの実施形態について説明したが、本発明は、上述した実施形態に限定されるものではなく、特許請求の範囲に記載された発明とその均等の範囲を含むものである。
以下に、本願出願の当初の特許請求の範囲に記載された発明を付記する。
【００４２】
（付記）
［１］
内部に密閉された空間を有する筐体と、
磁界に応じて変形する超磁歪素子と、当該磁歪素子の周囲に形成されて磁界を生成するコイルと、を有し、前記筐体の内部に配置された音響素子と、
を備え、
前記音響素子は、前記超磁歪素子の磁界に応じた変形による伸縮が生じる方向の両端部が前記密閉された空間をなす前記筐体の内面に密着して配置され、前記超磁歪素子の前記伸縮の大きさを音声信号に応じて変化させることにより、前記筐体を振動させて音を出力することを特徴とする音響装置である。
【００４３】
［２］
前記音響素子の前記超磁歪素子は、棒状の形状を有し、該棒状の形状の長さ方向に沿って前記伸縮が生じ、該長さ方向の両端が前記筐体の前記密閉された空間内の対向する部材間に挟み込まれ、該長さ方向に沿って圧縮応力がかかるように組み付けられていることを特徴とする［１］に記載の音響装置である。
［３］
前記超磁歪素子は、前記超磁歪素子が挟み込まれる前記筐体の対向する前記部材間に傾斜して組み付けられていることを特徴とする［２］に記載の音響装置である。
［４］
前記音響素子は、前記超磁歪素子の両端部がそれぞれ、極性を一致させた磁性体を介して、前記筐体の対向する前記部材に密着するように組み付けられていることを特徴とする［２］又は［３］に記載の音響装置である。
［５］
前記音響素子は、前記音声信号に応じて前記超磁歪素子の前記伸縮の大きさが変化することにより、前記筐体の対向する前記部材を同位相で振動させて、前記音を出力することを特徴とする［２］乃至［４］のいずれかに記載の音響装置である。
［６］
前記音響素子は、前記コイルに特定の共振特性を付与する共振回路が接続され、
前記共振回路による前記共振特性と、前記筐体の周波数特性とを合成することにより、前記音の周波数特性を設定することを特徴とする［１］乃至［５］のいずれかに記載の音響装置である。
［７］
前記音響素子は、前記コイルの途中に前記音声信号を印加する信号印加部が接続されていることを特徴とする［６］に記載の音響装置である。
［８］
［１］乃至［７］のいずれかに記載の音響装置が実装されてなることを特徴とする電子機器である。
【符号の説明】
【００４４】
１１      ケース
１２      ガラス板
１３      閉止蓋
２０      音響素子
２１      超磁歪素子
２２      コイル
１００    電子機器
１０１    機器本体
１１０    筐体
【図１】
2014131118.tif 000003
【図２】
2014131118.tif 000004
【図３】
2014131118.tif 000005
【図４】
2014131118.tif 000006
【図５】
2014131118.tif 000007
【図６】
2014131118.tif 000008